(57)【特許請求の範囲】
【請求項１】
インターホン装置の操作方法の説明情報を記憶する記憶部と、インターホン装置の操作方法の説明情報を記憶部から読み出して外部出力部に出力するガイダンス制御部と、操作方法の説明情報を外部に出力する外部出力部と、他の装置と送受話を行う送受話部と、を有するインターホン装置において、インターホン装置の近傍の人体の有無を検知する人体検知部と、所定時間を計時するタイマ部とを有し、ガイダンス制御部は、人体検知部が人体を検知し、該人体を検知してからタイマ部の計時する所定時間インターホン装置が操作されず、且つ該所定時間の最初の時点の他には該所定時間の最後の時点のみ人体検知部による人体検知の成否を判断し、これにより該所定時間後にも人体検知部が人体を検知すると、インターホン装置の操作方法の情報を記憶部から読み出して外部出力部に出力することを特徴とするインターホン装置。
【発明の詳細な説明】
【０００１】
【発明の属する技術分野】
本発明は、住戸等に設けられるインターホン装置に関する。
【０００２】
【従来の技術】
従来の技術のインターホン装置を図２を用いて説明する。図２はインターホン装置の構成を示すブロック図である。
【０００３】
図２において、集合住宅の住戸内に設けられたインターホン装置Ａは、住戸玄関に設けられている他の装置に相当するドアホン子器Ｂ，管理人室内に設けられている他の装置に相当する管理人室インターホンＣと接続され、また、管理人室インターホンＣを介して共同玄関に設けられている他の装置に相当するロビーインターホンＤに接続されており、ドアホン子器Ｂ又は管理人室インターホンＣ又はロビーインターホンＤの話者と通話するものである。
【０００４】
インターホン装置Ａは、送受話部１、制御部２、信号検知部３、備忘録メッセージ出力日時設定部４、備忘録メッセージ登録部５、伝言メッセージ登録部６、時計部７、外部出力部に相当するスピーカ８、マイク９、外部出力部に相当する音声発生部１０、操作部１１とを有して構成されている。また、インターホン装置Ａは、住戸内に設けてある火災センサ１２ａ，ガス漏れセンサ１２ｂ，防犯センサ１２ｃ，非常釦１２ｄに接続されている。
【０００５】
インターホン装置Ａは、ロビーインターホンＤ等との通話機能、ロビーインターホンＤ等からの呼出に応じて呼出音を鳴動し、火災センサ１２ａからの火災信号Ｓ２等により警報音を鳴動する鳴動機能、インターホン装置Ａの操作方法を音声により説明するガイダンス機能、所定の日時になると備忘録メッセージを音声出力する備忘録機能、予め登録した伝言メッセージを所定操作により音声出力する伝言機能を有する。
【０００６】
送受話部１は、マイク９により集音した居住者等の音声を通話中のドアホン子器Ｂ又は管理人室インターホンＣ又はロビーインターホンＤに送話し、ドアホン子器Ｂ又は管理人室インターホンＣ又はロビーインターホンＤからの受話音声をスピーカ８より出力する。
【０００７】
信号検知部３は、ドアホン子器Ｂ又は管理人室インターホンＣ又はロビーインターホンＤからの呼出信号Ｓ１，火災センサ１２ａからの火災信号Ｓ２，ガス漏れセンサ１２ｂからのガス漏れ信号Ｓ３，防犯センサ１２ｃからの防犯検知信号Ｓ４，居住者が非常釦１２ｄを押圧することにより出力される非常信号Ｓ５を受信すると、制御部２に該信号Ｓ１〜Ｓ５を出力する。
【０００８】
備忘録メッセージ登録部５は、メモリ又は磁気テープ等で構成された備忘録記憶部５ａを有しており、所定日時になるとインターホン装置Ａが自動的に音声出力する備忘録メッセージを音声データＤ１として登録するものである。詳しくは、備忘録メッセージ登録部５は、マイク９により集音した音声を音声データＤ１として備忘録記憶部５ａに記憶させる。
【０００９】
備忘録メッセージ出力日時設定部４は、操作部１１内のテンキー等により、備忘録メッセージ登録部５によって登録した音声データＤ１をスピーカ８から出力する日時を設定するものである。
【００１０】
伝言メッセージ登録部６は、操作部１１の押釦等が操作されると出力する伝言メッセージを音声データＤ２として登録するものである。
【００１１】
制御部２は、信号制御部２ａ、ガイダンス制御部２ｂ、記憶部２ｃ，備忘録制御部２ｄ，伝言制御部２ｅとを有している。
【００１２】
信号制御部２ａは、該信号Ｓ１〜Ｓ５を受け取ると、信号Ｓ１〜Ｓ５に応じた警報音又は呼出音の音声データＤ４を音声発生部１０に出力するものである。
【００１３】
ガイダンス制御部２ｂは、信号制御部２ａが信号Ｓ１〜Ｓ５を受け取っており、且つ操作部１１が所定のガイダンス要求操作をされた場合に、記憶部２ｃからガイダンスの音声データＤ３を読み出して、音声発生部１０に出力するものである。
【００１４】
記憶部２ｃは、信号制御部２ａが呼出信号Ｓ１を受け取っている時に出力する「ハンドセットを持ち上げてお話し下さい」「通話釦を押してお話し下さい」や、制御部が火災信号Ｓ２等を受け取っている時に出力する「警報音を止めるには警報音停止釦を押して下さい」等のガイダンスの音声データＤ３を記憶する。
【００１５】
備忘録制御部２ｄは、時計部７の示す日時を監視して、該日時が備忘録メッセージ出力日時設定部４により定められた日時になると、備忘録メッセージ登録部５の備忘録記憶部５ａから音声データＤ１を読み出して音声発生部１０に出力する。
【００１６】
伝言制御部２ｅは、操作部１１の押釦等が操作されると、伝言メッセージ登録部６の伝言記憶部６ａから音声データＤ２を読み出して音声発生部１０に出力する。
【００１７】
音声発生部１０は、制御部２から受け取る音声データＤ１，Ｄ２，Ｄ３，Ｄ４に基づいて、音声をスピーカ８に出力させるものである。
【００１８】
以上のようにして構成されたインターホン装置Ａの動作を以下に説明する。
まず、通話機能と鳴動機能との動作について説明する。ロビーインターホンＤより来訪者が呼出を行うと、呼出信号Ｓ１が管理人室インターホンＣを介して信号検知部３に送信される。信号検知部３は、該呼出信号Ｓ１を受信すると、呼出信号Ｓ１を信号制御部２ａに出力し、信号制御部２ａは呼出信号Ｓ１に対応して呼出音の音声データＤ４を音声発生部１０に出力する。音声発生部１０は該音声データＤ４に基づいて呼出音をスピーカ８から出力する。該呼出音を聞いた居住者は不図示のハンドセットを持ち上げることによりロビーインターホンＤ等と通話することができる。
【００１９】
また、信号検知部３が火災センサ１２ａから火災信号Ｓ２を受信すると、信号検知部３が火災信号Ｓ２を信号制御部２ａに出力し、信号制御部２ａは火災信号Ｓ２に対応して警報音の音声データＤ４を音声発生部１０に出力する。居住者は該警報音によって火災の発生を知ることができる。
【００２０】
次にガイダンス機能の動作について説明する。上記呼出音や警報音が出力された場合において、居住者が呼出音に対応した操作や警報音の停止操作を知らない場合、居住者は操作部１１に対してガイダンスを要求する操作を行うと、ガイダンス制御部２ｂは、記憶部２ｃからガイダンスの音声データＤ３を読み出して、音声発生部１０に出力する。従って、居住者はガイダンスに示される指示に従うことにより、適切にインターホン装置Ａを操作することができる。
【００２１】
次に備忘録機能の動作について説明する。居住者が、備忘録メッセージ出力日時設定部４により例えば「毎週月曜の朝８時」等の日時を設定し、備忘録メッセージ登録部５により「今日は資源ゴミの日です。」等の備忘録メッセージを登録する。
【００２２】
すると、備忘録制御部２ｄは時計部７の示す日時が「毎週月曜の朝８時」になると、備忘録メッセージ登録部５の備忘録記憶部５ａから「今日は資源ゴミの日です。」を内容とする音声データＤ１を読み出して音声発生部１０に出力する。音声発生部１０は該音声データＤ１を受け取ると、スピーカ８から「今日は資源ゴミの日です。」との音声を出力する。よって、居住者の注意を喚起することができ、居住者は該備忘録メッセージに従って行動することができる。
【００２３】
次に伝言機能について説明する。一方の居住者が伝言メッセージ登録部６により「買い物にいってます。」等の伝言メッセージを登録し、その後他の居住者が操作部１１を操作する。すると、伝言制御部２ｅが、操作部１１の操作に応じて、伝言メッセージ登録部６の伝言記憶部６ａから「買い物にいってます。」を内容とする音声データＤ２を読み出して音声発生部１０に出力する。音声発生部１０は該音声データ１を受け取ると、スピーカ８から「買い物にいってます。」との音声を出力する。よって、一方の居住者が他の居住者に伝言することができる。
【００２４】
以上のようにインターホン装置Ａは動作するので、ロビーインターホンＤや玄関子器Ｂとの通話だけでなく、ガイダンスや備忘録メッセージ、伝言メッセージの出力を行うことができる。
【００２５】
【発明が解決しようとする課題】
しかしながら、上述の図２に示すようなインターホン装置にあっては、次のような問題があった。
【００２６】
第一に、ガイダンス機能を動作させる自体の操作が分からない場合には、操作方法の説明を受けることができない。
【００２７】
第二に、備忘録メッセージを所定日時に音声出力しても、インターホン装置Ａの近傍に居住者がいない場合には、居住者が該備忘録メッセージを聞き漏らす場合がある。
【００２８】
第三に、伝言メッセージが登録されていても、他の居住者は伝言メッセージが登録されていることに気が付かず操作部を操作しない場合には、伝言メッセージが出力されず、よって伝言がなされない場合がある。
【００２９】
以上のような問題点のため、ガイダンス機能、備忘録機能、伝言機能が有効に用いられない場合があった。
【００３０】
本発明は、上記第一の問題点を改善するために成されたもので、その目的とするところは、全く装置の操作が分からない場合であっても操作方法の説明を受けることができるインターホン装置を提供することにある。
【００３１】
【課題を解決するための手段】
本発明は上記の問題を解決するために、請求項１記載の発明にあっては、インターホン装置の操作方法の説明情報を記憶する記憶部と、インターホン装置の操作方法の説明情報を記憶部から読み出して外部出力部に出力するガイダンス制御部と、操作方法の説明情報を外部に出力する外部出力部と、他の装置と送受話を行う送受話部と、を有するインターホン装置において、インターホン装置の近傍の人体の有無を検知する人体検知部と、所定時間を計時するタイマ部とを有し、ガイダンス制御部は人体検知部が人体を検知し、該人体を検知してからタイマ部の計時する所定時間インターホン装置が操作されず、且つ該所定時間後にも人体検知部が人体を検知すると、インターホン装置の操作方法の情報を記憶部から読み出して外部出力部に出力することを特徴とするものである。
【００３５】
【発明の実施の形態】
本発明の実施の形態を図１を用いて説明する。図１はインターホン装置の構成を示すブロック図である。なお、図１においては前述の従来の技術で説明したところのインターホン装置と同等の箇所には同じ符号を付してあるので、同等の箇所の詳細な説明は省略する。
【００３６】
図１に示す本実施の形態のインターホン装置が、前述の従来の技術で説明したところのインターホン装置と異なり特徴となるのは次の構成である。
【００３７】
即ち、タイマ部１３と、人体検知センサ１４とを設け、ガイダンス制御部２ｆと備忘録制御部２ｇと伝言制御部２ｈとは、人体検知センサ１４から人体検知信号Ｓ６を受け取った後、各々の動作を行うようにした構成である。
【００３８】
タイマ部１３は、計時動作を行うものであり、人体検知センサ１４は、インターホン装置Ａの正面位置の検知領域に人がいる間は連続して人体検知信号Ｓ６をガイダンス制御部２ｆ、備忘録制御部２ｇ、伝言制御部２ｈに出力するものである。
【００３９】
ガイダンス制御部２ｆは、信号制御部２ａが信号Ｓ１〜Ｓ５を受け取っており、且つ人体検知センサ１４から人体検知信号Ｓ６を受け取った後タイマ部１３によって所定時間Ｔ１の経過した時まで、インターホン装置が操作されず、所定時間Ｔ１経過後にも人体検知センサ１４から人体検知信号Ｓ６を受け取っていれば、記憶部２ｃからガイダンスの音声データＤ３を読み出して、音声発生部１０に出力するものである。
【００４０】
なお、記憶部２ｃからガイダンスの音声データＤ３を読み出して、音声発生部１０に出力する条件は、所定時間Ｔ１の最初と最後に人体検知信号Ｓ６を受け取っている、というものであり、一度人体が検知された後、居住者が移動して、所定時間Ｔ１経過後に他の居住者がインターホン装置Ａの正面に位置してもガイダンスが開始される。これに比べて、参考例として、記憶部２ｃからガイダンスの音声データＤ３を読み出して音声発生部１０に出力する条件が、所定時間Ｔ１の間連続して人体検知信号Ｓ６の受け取りがなければならない、というものも考えられる。これによると、ガイダンスを受けるものは所定時間Ｔ１の間中インターホン装置Ａの前に位置している必要があり、一旦居住者が移動するとガイダンスは開始されない。
【００４１】
備忘録制御部２ｇは、備忘録メッセージ出力日時設定部４により定められた日時となった時からタイマ部１３によって計時する所定時間Ｔ２経過までの間に人体検知センサ１４から人体検知信号Ｓ６を受け取ると、備忘録メッセージ登録部５の備忘録記憶部５ａから音声データＤ１を読み出して音声発生部１０に出力する。
【００４２】
伝言制御部２ｈは、人体検知センサ１４から人体検知信号Ｓ６を受け取ると、伝言メッセージ登録部６の伝言記憶部６ａから音声データＤ２を読み出して音声発生部１０に出力する。
【００４３】
以上のように構成したインターホン装置のガイダンス機能と、備忘録機能と、伝言機能との動作を以下に説明する。
【００４４】
まず、ガイダンス機能の動作について説明する。呼出信号Ｓ１や火災信号Ｓ２により音声発生部１０が呼出音や警報音を出力している場合において、居住者が呼出音に対応した操作や警報音の停止操作を知らない場合、居住者はインターホン装置Ａのとりあえず正面に立つ。
【００４５】
すると、人体検知センサ１４が該居住者を検知して、人体検知信号Ｓ６をガイダンス制御部２ｆに出力する。既に信号制御部２ａが呼出信号Ｓ１や火災信号Ｓ２等を受け取っているので、ガイダンス制御部２ｆは、人体検知センサ１４から人体検知信号Ｓ６を受け取って、人体を検知してからタイマ部１３の計時する例えば１５秒等の所定時間Ｔ１の間インターホン装置Ａが操作されず、タイマ部１３によって例えば１５秒等の所定時間Ｔ１の経過した時に人体検知センサ１４から人体検知信号Ｓ６を受け取っていれば、記憶部２ｃからガイダンスの音声データＤ３を読み出して、音声発生部１０に出力する。
【００４６】
従って、居住者は何等の操作を行うことなく、インターホン装置Ａの前に立って所定時間Ｔ１の経過を待つだけで、音声による操作方法の説明を受けることができ、ガイダンスに示される指示に従うことにより、適切にインターホン装置Ａを操作することができる。
【００４７】
次に備忘録機能の動作について説明する。居住者が、備忘録メッセージ出力日時設定部４により例えば「毎週月曜の朝８時」等の日時を設定し、備忘録メッセージ登録部５により「今日は資源ゴミの日です。」等の備忘録メッセージを登録する。
【００４８】
そして、備忘録制御部２ｇは、時計部７の示す日時が「毎週月曜の朝８時」になり、該時刻から例えば１時間等の所定時間Ｔ２の間に、人体検知センサ１４から人体検知信号Ｓ６を受け取ると、備忘録メッセージ登録部５の備忘録記憶部５ａから「今日は資源ゴミの日です。」を内容とする音声データＤ１を読み出して音声発生部１０に出力する。音声発生部１０は該音声データ１を受け取ると、スピーカ８から「今日は資源ゴミの日です。」との音声を出力する。
【００４９】
よって、予め設定した日時から所定時間Ｔ２の間に、インターホン装置Ａの正面を居住者が通過した場合等に、備忘録メッセージが音声出力されるので、無人の状態で備忘録メッセージが音声出力されて居住者は該備忘録を聞き漏らすということがなく、居住者の注意を喚起することができ、居住者は該備忘録メッセージに従って行動することができる。
【００５０】
次に伝言機能について説明する。一方の居住者が伝言メッセージ登録部６により「買い物にいってます。」等の伝言メッセージを登録し、その後他の居住者がインターホン装置Ａの正面を通過する。
【００５１】
すると、人体検知センサ１４が該通過した他の居住者を検知して、人体検知信号Ｓ６を伝言制御部２ｈに出力し、伝言制御部２ｈは人体検知信号Ｓ６を受け取ると、伝言メッセージ登録部６の伝言記憶部６ａから「買い物にいってます。」を内容とする音声データＤ２を読み出して音声発生部１０に出力する。音声発生部１０は該音声データ１を受け取ると、スピーカ８から「買い物にいってます。」との音声を出力する。よって、他の居住者が伝言があることに気が付かずにいるという状態を低減できる。
【００５２】
なお、本実施の形態においては、登録する備忘録メッセージや伝言メッセージは単一のものとして説明しているが、登録できるメッセージの数は一つに限られるものではなく、複数登録できるようにしてもよい。複数の備忘録メッセージを登録できるようにすると、各曜日毎に備忘録を音声出力する等といったことが可能となり、また複数の伝言メッセージを登録できるようにすると、多数の居住者が伝言を残すことができる。
【００５３】
また、本実施の形態では、タイマ部１３と時計部７とは別のものとして説明しているが、いずれも計時動作を行うものであるから、タイマ部１３と時計部７とを一体のものとして構成してもよい。この場合、部品点数を少なくすることができる。
【００５４】
【発明の効果】
本発明のインターホン装置は上述のように構成してあるから、請求項１記載の発明にあっては、人体検知部がインターホン装置の近傍の人体の有無を検知し、タイマ部が所定時間を計時し、ガイダンス制御部は、該人体を検知してからタイマ部の計時する所定時間インターホン装置が操作されず、且つ該所定時間後にも人体検知部が人体を検知すると、インターホン装置の操作方法の情報を記憶部から読み出して外部出力部に出力するので、居住者は全く操作が分からなくとも、何等の操作を行うことなくインターホン装置の前に立って所定時間の経過を待つだけで、操作方法の説明を受けることができ、ガイダンスに示される指示に従うことにより、適切にインターホン装置を操作することができるという効果を奏する。
【図面の簡単な説明】
【図１】本発明のインターホン装置の構成を示すブロック図である。
【図２】従来の技術のインターホン装置の構成を示すブロック図である。
【符号の説明】
Ａ    インターホン装置
１    送受話部
２ｃ  記憶部
２ｆ  ガイダンス制御部
２ｇ  備忘録制御部
２ｈ  伝言制御部
４    備忘録メッセージ出力日時設定部
５    備忘録メッセージ登録部
５ａ  備忘録記憶部
６    伝言メッセージ登録部
６ａ  伝言記憶部
７    時計部
８    外部出力部
１０  外部出力部
１３  タイマ部
１４  人体検知部
【図１】
0004059538.tif 000002
【図２】
0004059538.tif 000003